(57)【要約】患者の四肢に履くのに適切なソックスであって、該ソックスは、皮膚表面からの湿気を逃がす能力を有している材料を含んでおり、且つ、該ソックスは、使用時に患者のくるぶしと、向こうずねと、を覆うソックスの範囲に設けられているパッドを、含んでいるものである。
2007530817.tif 000002
【特許請求の範囲】
【請求項１】
患者の四肢に着用するのに適切なソックスであって、該ソックスは、皮膚表面から湿気を逃がす能力を有している材料を含んでおり、該ソックスは、使用時に患者のくるぶしと、向こうずねと、を覆おうことになる、ソックスの範囲に設けられているパッドを含んでいる、ものであるソックス。
【請求項２】
皮膚表面から湿気を逃がす能力を有している材料が、ウィッキング繊維である、請求項１に記載のソックス。
【請求項３】
ソックスが、ウィッキング繊維によって、又は、１以上のウィッキング繊維を包含している２以上の異なる繊維の組み合わせによって、編まれたものである、請求項２に記載のソックス。
【請求項４】
ソックスが、ソックスの他の範囲へと湿気を運ぶことを促す編み目パターンによって編まれている、請求項１乃至請求項３の内の何れか１つに記載のソックス。
【請求項５】
ソックスが、患者の足のくるぶしの範囲を加圧する能力を有している材料からできている、くるぶし部を含んでいる、請求項１乃至請求項４の内の何れか１つに記載のソックス。
【請求項６】
患者の足のくるぶしの範囲を加圧する能力を有している材料が、１以上の伸縮性繊維を包含している、請求項５に記載のソックス。
【請求項７】
ソックスの一部は、加圧する能力を有していない材料でできている、請求項１に記載のソックス。
【請求項８】
パッドが、使用時にソックスの内面になる側において、使用時、くるぶしと、向こうずねと、を覆うことになる、くるぶし部と脚部との範囲に、テリーループを用いることによって設けられている、請求項１乃至請求項７の内の何れか１つに記載のソックス。
【請求項９】
ソックスが、編みソックスである、請求項１乃至請求項８の内の何れか１つに記載のソックス。
【請求項１０】
ソックスは、一級のスピンウール、メリノウール、蚕糸から選択された、細い天然繊維を１以上包含している、繊維を組み合わせたものから編まれたものである、請求項１乃至請求項９の内の何れか１つに記載のソックス。
【請求項１１】
ソックスを含む用具であって、ソックスが、患者の四肢に着用するのに適切なものであり、ソックスが、皮膚の表面から湿気を逃がす能力を有している材料と、１以上の加圧する手段と、を含んでいる用具。
【請求項１２】
加圧する手段が、包帯、圧迫ストッキング、圧迫スリーブ、エアーブラッダーから選択されたものである、請求項１１に記載の用具。
【請求項１３】
ソックスと加圧する手段とが、患者の脚に、別々に且つ連続して、取り付けられている、請求項１１に記載の用具。
【請求項１４】
静脈下腿潰瘍、深部静脈血栓症（ＤＶＴ)、血管障害、又は、浮腫の減少の治療用の、請求項１１に記載の用具の使用。
【発明の詳細な説明】
【技術分野】
【０００１】
本発明は、四肢に着用するのに適切なソックス、特に、脚用ソックスに関するものである。ソックスは、特に、四肢用加圧装置と共に、そして、静脈下腿潰瘍、深部静脈血栓症、浮腫を減少させるのに用いられる加圧治療の一例として、使用するのに適切なものである。本発明は、更に、一対の上記ソックスと、上記ソックスを含んでいる用具に関するものである。
【背景技術】
【０００２】
下肢の潰瘍は、６０歳以上の人々にかなりの割合で見受けられる。潰瘍には幾つかの形態があるが、一般的なものの１つに静脈下腿潰瘍がある。静脈下腿潰瘍は、静脈システムの弁障害から生じると考えられている。これらの弁の障害は、四肢から血が戻る率を減少する。このことは、潰瘍の発生に関係があると考えられていた。
【発明の開示】
【発明が解決しようとする課題】
【０００３】
静脈下腿潰瘍は、現在、傷口に布を当てること、冒された四肢を加圧する手法と、の双方によって治療されている。加圧は、従来、包帯、ストッキングの何れかの使用によって、これらの製品の繊維の張りが生じる張力を利用して、与えられてきた。傷口が蒸れないという、布を当てることの効果は、従来の加圧材、特に、包帯の使用によって害されてしまう。傷口から滲出液は、周りに漏れ、又は、布を通り、湿りを生じる。この液体は、当然、所望しないものであるが、皮膚周りをふやけさす酵素をふくんでいる。
【０００４】
包帯又はストッキングは、更に、特に暑い日には、湿気を逃がしにくく、着け心地が悪いものである。包帯とストッキングと共に、向こうずね、くるぶし等の骨ばった部分は、集中した圧力レベルを受ける。それ故、四肢に当てものをし、その断面をより丸くするため、包帯とストッキングの下側に、柔らかい不織布パッドが用いられている。このパッドは、また、布(dressing)から漏れ出た液体を吸収する働きを持っている。しかし、パッドを適切な位置に置くことを完全に行うことは熟練が必要で難しい。包帯は、後に、パッドを、動かし、押しのけてしまうかもしれない。
【０００５】
加圧は、また、膨らまされたエアーブラッダーを用いて印加される。該エアーブラッダーは、包帯、ストッキングの使用に関する問題の幾つかを解決するものである。エアーブラッダー自身は、湿気を通すことができず、汗からの熱と湿気とがブラッダーによって閉じ込められてしまうという問題を引き起こす。
【０００６】
従って、周知の下腿潰瘍患者用加圧システムの使用に関する問題を軽減する手段が求められている。
【課題を解決するための手段とその効果】
【０００７】
本発明は、第１観点において、下腿潰瘍患者の四肢に着用するのに適切なソックスを提供する物である。該ソックスは、皮膚表面から湿気を逃がす能力を有している材料を含んでいる。
【０００８】
ソックスのくるぶし部のある部分、大半の部分、実質全部、又は、全部が、皮膚表面から湿気を逃がす能力を有している材料を含んでいても良い。好ましくは、使用時、患者のくるぶし周りに拡張可能となっている、全ての範囲、又は、実質全部の範囲が、皮膚表面から湿気を逃がす能力を有している材料を含んでいる。ソックスのゲートル部位の全部、又は、実質全部が、皮膚表面から湿気を逃がす能力を有している材料を含んでいても良い。
【０００９】
好ましくは、ソックスは、全ての部位において、皮膚表面から湿気を逃がす能力を有している材料を含んでいる。
【００１０】
上記ソックスは、傷口からの水蒸気を通すことができ、布の効果を損なわないため、下腿潰瘍患者の脚に装着することができるという点で有利である。従って、ソックスの着用は、潰瘍部位の皮膚を正常な状態に保つのを助けることができる。ソックスは、下腿潰瘍が最も一般的に生じる範囲である、ゲートル部位に下腿潰瘍を有している下腿潰瘍患者に用いるのが、特に効果的である。
【００１１】
皮膚表面から湿気を逃がす能力を有している材料は、任意の湿気透過性材料でもよい。特に、材料は、ウィッキング能力を有している繊維でもよい。繊維は、適切にソックスに編み込むことができる。ソックスは、ウィッキング繊維によって、又は、１以上のウィッキング繊維を包含している２以上の異なる繊維の組み合わせによって、編まれたものでもよい。適切なウィッキング繊維は、CoolmaxTMと、DuraspunTMと、IsolfilTMと、ポリプロピレンと、ポリエステルと、マイクロファイバーと、Soft TouchTM P180、GalaxyTMとを、又は、大きな表面積の他の繊維を、包含している。
【００１２】
ウィッキング繊維以外の繊維が含まれている時、これらは、ソックスに用いるのに適切な任意の繊維でよく、且つ、天然繊維、合成繊維、またはこれらの組み合わせたものでもよい。好ましくは、ソックスは、綿とCoolmax AntibacterilaTMとの混紡繊維、又は、綿とポリプロピレンとの混紡繊維、を含んでいる。混紡繊維は、ウィッキング繊維を重量百分率で５％〜８０％含んでおり、好ましくは、ウィッキング繊維を重量百分率で２０％〜６０％含んでおり、更に、好ましくは、ソックスに用いるのに適切な天然又は合成繊維の混紡された、ウィッキング繊維を重量百分率で２５％〜５０％含んでいる。
【００１３】
ウィッキングとは、紡ぎ糸、又は、繊維構造内での液体の搬送のことをいう。この作用は、該構造を含む繊維の配列によって、且つ、液体が繊維表面を水に浸すことによって、制御される。
【００１４】
好ましくは、ソックスは、ソックスの他の範囲へと湿気を運ぶことを促す編み目パターンによって編まれている。有用な編み目を生成するための有用な編み方／加工方法は、リブ、リブループ搬送、ペレリンプレーン搬送、シングル又はダブルジャージ編み、ジャガードダブルジャージ編みを含む。
【００１５】
特に、ソックスの範囲へ湿気を運ぶことを促す、編み目パターンは、使用時、患者の履物、又は、圧迫スリーブによって覆われていないことが、好ましい。より好ましくは、ソックスの範囲へ湿気を運ぶことを促す、編み目パターンは、使用時、患者の履物によって、又は、包帯、圧迫ストッキング、圧迫スリーブ、又は、エアーブラッダー等の、身につけられ、用いることができる、任意の加圧する手段によって、覆われていないことが好ましい。
【００１６】
好ましくは、皮膚表面から湿気を逃がす能力を有している材料は、使用時にソックスの内面にある、皮膚に近い、材料の側に、１以上のウィッキング繊維を、包含しており、且つ、使用時にソックスの外面にある側に、吸水性繊維のような吸水性材料を、包含している。例えば、皮膚表面から湿気を逃がす能力を有している材料は、使用時、ソックスの内面に位置する、ウィッキング繊維、又は、１以上のウィッキング繊維を包含している、２以上の異なる繊維を組合せたものでもよい。一方で、吸水性材料は、使用時、ソックスの外面に位置する、吸水性繊維によって、又は、１以上の吸水性繊維を包含している、２以上の異なる繊維の組み合わせによって、編まれたものでもよい。故に、ウィッキング繊維の目的は、多くの実施例において、湿気をソックスの外側に運ぶことである。ソックスが、圧迫スリーブと共に用いられる時、ウィッキング繊維の目的は、圧迫スリーブによって覆われていない、ソックスのこれらの範囲に、即ち、湿気が蒸発できるこれらの範囲に、湿気を運ぶことである。
【００１７】
ソックスは、更に、くるぶし部から伸びる通気チャンネルを適切に含んでいる。水蒸気は、例えば、現在の又は仕様による、拡散、及び／又は、空気の流れによって、該通気チャンネルに沿って、側面沿いに運ばれる。通気チャンネルは、適切なリブ構造である。ソックスは、くるぶし部から伸びる通気チャンネルを包含している足部を含んでいる。水蒸気は、例えば、拡散、及び／又は、空気の流れ、流動、又は、仕様によって、該通気チャンネルに沿って、側面沿いに運ばれる。ソックスは、選択的に、又は、追加的に、くるぶし部から伸びる通気チャンネルを包含している脚部を含んでいる。水蒸気は、例えば、現在の又は仕様による、拡散、及び／又は、空気の流れによって、該通気チャンネルに沿って、側面沿いに運ばれる。
【００１８】
ソックスは、好ましくは、更に、皮膚表面から湿気を逃がす能力を有している材料からできている範囲を包含している脚部を、含んでいる。皮膚表面から湿気を逃がす能力を有している材料は、くるぶし部に関して上述したものがよく、且つ、くるぶし部に用いられる、皮膚表面から湿気を逃がす能力を有している材料と、同じ、又は、異なるものであるのがよい。
【００１９】
ソックスは、好ましくは、更に、皮膚表面から湿気を逃がす能力を有している材料からできている、範囲を包含している足部を含んでいる。皮膚表面から湿気を逃がす能力を有している材料は、くるぶし部に関して上述したものがよく、且つ、くるぶし部に用いられる、皮膚表面から湿気を逃がす能力を有している材料と、同じ、又は、異なるものであるのがよい。
【００２０】
本発明は、また、第２観点において、ソックスは、下腿潰瘍患者の脚に履くのに適切であり、ソックスは、患者の足のくるぶしの範囲を加圧する能力を有している材料からできている、くるぶし部を含んでいる。
【００２１】
くるぶし部のある部分、大半の部分、実質全部、又は、全部が、患者の足のくるぶしの範囲を加圧する能力を有している材料でできていてもよい。好ましくは、使用時、範囲の、全て、又は、実質全てが、患者のくるぶしと同一の広がりを持ち、患者の足のくるぶしの範囲を加圧する能力を有しており、且つ、より好ましくは、ソックスのゲートル部位の全部が、患者の足のくるぶしの範囲を加圧する能力を有している材料からできている。
【００２２】
ソックス中に加圧する能力を有している上記のような材料の使用は、くるぶし接合部分の動作を妨げることなく、くるぶしの範囲を加圧し得る点で有利である。従来の加圧手段は、くるぶし部位のような複雑な動作部分を加圧することが難しく、柔軟性を損なうことなく、上記範囲を加圧できないものであった。更に、上記のような材料の使用は、この敏感な部分の付加的な支持を提供するものである。
【００２３】
好ましくは、患者の足のくるぶしの範囲を加圧する能力を有している材料は、例えば、２以上の異なる繊維から編まれた、２以上の繊維を含んでいるものである。好ましくは、材料は、例えば、LycraTM、エラスタン、SpandexTM、DorlastanTM、SpanzelleTM、VyreneTM、天然ゴムＥＰＤＭ、ポリブタジェンから選択された、１以上の伸縮性繊維を含んでいる。伸縮性繊維のヤング係数は、適切には、１０５から１０７Pa、例えば、１０６Pa程度のものである。
【００２４】
伸縮性の繊維以外の繊維が包含されている時、これらは、ソックスの製造に適切なものであればよく、且つ、天然繊維又は合成繊維、または、これらを組み合わせた繊維でもよい。適切には、材料は、編まれた材料であり、且つ、編むのに用いる編み目は、圧力を発生するようなものである。山の部分と谷の部分、編み目の開口部と、任意の開口とは、全て、圧力の発生に貢献するものであり、従って、１以上のこれらの要因は、所望の圧力が得られるように適切に調節することができるものである。
【００２５】
好ましくは、くるぶし部と、ソックスの口の周りに包含されている任意のカフ部と、以外のソックスの一部は、加圧する能力を有していない材料でできている。ソックスは、好ましくは、その構成の特定部分にのみを加圧すべきである。特に、くるぶし部と、ソックスの口の周りに包含されている任意のカフ部と、以外のソックスの一部は、好ましくは、伸縮性繊維を包含していない材料でできている。
【００２６】
くるぶし部と、任意のカフ部と、以外のソックスの一部は、１０mmHg未満の、例えば、５mmHg未満の最小の加圧を行うことが、好ましい。
【００２７】
ソックスを着用する脚の大きさによって、当然に、幾つかの圧力の変化がある。しかしながら、ソックスは、特定の脚サイズ幅に合うようにデザインされている。従って、くるぶし部と、任意のカフ部と、以外のソックスの一部は、ソックスに定めるサイズ幅に合う脚に着用したときに、適切に、１０mmHg未満の、例えば、５mmHg未満の最小の加圧を行う。
【００２８】
適切には、くるぶし部と、任意のカフ部と、以外のソックスの一部は、最小の加圧を行うため、オープンステッチによって編まれている。
【００２９】
例えば、包帯、圧迫ストッキングのような、加圧する手段から、ソックスに印加される圧力について考察すると、ラプラスの法則が適用される。それ故、印加される圧力は、半径に反比例し、圧力は、向こうずねに沿って高くなる。このことは、特に、くるぶし部と、任意のカフ部と、以外のソックスの一部に、ソックスがずれ落ちることなく、１０mmHg未満の、例えば、５mmHg未満の、最小の加圧が、適切に行われるように、ソックスによって印加される圧力を、できるだけ低く保つことによって最小化される。
【００３０】
ソックスが、圧迫スリーブと組み合わせて用いられるとき、ソックスは、どの部位においても加圧する能力を持たないことが好ましい。このことは、脚への加圧が、ソックスと圧迫スリーブとの組み合わせのうち、圧迫スリーブのみによって印加されることを意味しており、このことは、医療実施者によって、患者に与えられる治療のよりよい制御を可能にするものである。
【００３１】
使用時、くるぶしと向こうずねとを覆う範囲でのソックス内のパッドの使用は、有効なことである。というのは、包帯、圧迫ストッキング、圧迫スリーブ、又は、エアーブラッダーのような、加圧する手段と併せて用いるとき、パッドは、これらの骨張った部分に対する緩衝機能、特に、加圧された時に骨張った部分に沿って生じる高い圧力を減少する機能を提供するからである。
【００３２】
適切には、パッドは、周りの部位に用いられているものよりも厚い層の材料でできている。例えば、実施例において、ソックスが編まれることによって、周りの部位に用いられているものよりも、編みの厚い範囲は、くるぶし部と脚部との範囲に用いられている。
【００３３】
パッドは、使用時にソックスの内面になる側において、使用時、皮膚に近い側で、くるぶしと、向こうずねと、を覆うことになる、くるぶし部と脚部との範囲に、テリーループのようなループの使用によって、適切に提供される。テリーループは、例えば、タオルと、長距離用の靴の下に履く運動用ソックスと、に用いられるものであり、当然、当業者に周知のものである。テリーループは、繊維の生地を得意とする紡ぎ糸のループ形状を生じる、バックガイドによって、重ねられながら、既にある編み針と編み針とを交互に、生地に編むことによって形成することができる。テリーループは、例えば、特に大きなテリーループを使用することにより、より大きなパッドを提供するより大きなループを備えている、パッドに求められる寸法に応じたサイズのものにされる。
【００３４】
くるぶしを覆うパッドは、１mm厚以上であり、好ましくは、１．５mm厚以上であり、例えば、２mm厚までである。
【００３５】
向こうずねを覆うパッドは、２mm厚以上であり、好ましくは、３mm厚以上であり、より好ましくは、４mm厚以上であり、例えば、５mm厚までである。
【００３６】
好ましくは、ソックスは、２以上の上述した本発明の観点のパッドを提供するものである。
【００３７】
ソックスは、適切な編みソックスであってもよい。ソックスは、上記に示したような必要条件を満たす、任意の適切な繊維又は繊維を組み合わせたものから編まれたものでもよい。
【００３８】
毛、綿、ビスコース、LyocelTM/TencelTM、ナイロン、ポリエステル、絹のような繊維が、本発明のソックスに、適切に用いることができる。特に、これらの繊維は、ソックスの大部分を形成する基礎繊維として、用いるのに適切である。毛、綿、ビスコース、LyocelTM/TencelTM、絹のような繊維は、また、吸水性繊維としてソックスに用いられる。
【００３９】
CoolmaxTM、DuraspunTM、IsolfilTM、ポリプロピレン、ポ懸濁リエステル・マイクロファイバー、SoftTouchTM P180W、GalaxyTMのような繊維は、本発明のソックスに、適切に用いることができる。特に、これらの繊維は、ウィッキング繊維として使用するのに適切である。エラスタン、SpandexTM、DorlastanTM、SpanzelleTM、VyreneTM、LycraTM、天然ゴムＥＰＤＭ、ポリブタジェンのような繊維は、本発明のソックスに、適切に用いることができる。特に、これらの繊維は、伸縮性繊維として用いるのに適切である。
【００４０】
OutlastTM、X-StaticTM、AmicorTMのような抗菌性の繊維は、本発明のソックスに、適切に用いることができる。
【００４１】
ソックスは、患者の足へのソックスの履き心地を向上させるため、特に、一級のスピンウール、メリノウール、蚕糸をといった、細い天然繊維を１以上包含している、繊維を組み合わせたものから適切に編まれる。これらの繊維の１以上のものの使用は、また、足の温湿度の調節を助けるものである。
【００４２】
ソックスは、銀繊維のような、抗菌効果のある繊維を１以上包含している、繊維を組み合わせたものから適切に編まれる。
【００４３】
好ましくは、閉じたつま先を有している足部分を、適切に含んでいる。このことは、患者に、足の先が冷えるという不快を与えることを回避するものである。
【００４４】
ソックスは、好ましくは、使用時に、患者の足からふくらはぎのある部分、大半の部分、実質全部、又は、全部にかけて、上方に伸びる脚部を含んでいる。適切には、脚部は、使用時に、患者の足からふくらはぎの全部を覆うように、上方に伸びる。好ましくは、ソックスの脚部は、患者の膝の部分、その付近、又は、直ぐ下で、終端する。それ故、ソックスは、好ましくは、ハイソックスである。
【００４５】
好ましくは、ソックスは、ソックスの口の周りに伸縮性のカフ部を含んでいる。カフ部は、ソックスがずり落ちないようにする能力を高めるため、好ましくは二重カフ部になっている。
【００４６】
カフ部は、適切には、１mm以上であり、好ましくは、１mmから５mmの範囲内、例えば、４．５mmである。カフ部は、好ましくは、皮膚とのこすれと、水泡の発生を避けるため、使用時、ソックスの外面にある側に縫い目を有している。
【００４７】
好ましくは、足部は、使用時、ソックスの内面にある側よりも、使用時、ソックスの外面にある側のほうが低摩擦である、材料でできている。ある実施例では、ソックス全体が、使用時、ソックスの内面にある側よりも、使用時、ソックスの外面にある側のほうが低摩擦である、材料でできている。従って、ソックスの内側が、ソックスの外側よりも高い摩擦係数を有するように、設計することができる。このことは、有利なことである。というのは、ソックスに着用した任意の加圧する手段が、ソックスの内側を皮膚にこすりつけることで、水泡を生じることなく、又は、傷口に巻いた閉塞包帯を縁からずらすことなく、ソックスの外側に抗して摺動できるようになるからである。
【００４８】
ソックスは、使用時、ソックスの外面にある側に、縫い目を有している足部を、適切に含んでいる。このことは、縫い目を皮膚にこすりつけることを防ぎ、且つ、水泡の生成を抑えることができるという利益をもたらすものである。また、好ましくは、ソックスは、向こうずねの断面形状を有している足部を含んでおり、故に、ソックスを加圧する手段と共に着用されている間でも、患者の普段の履物をソックスと共に履くことができる。好ましくは、ソックスは、２mm未満、より好ましくは、１mm未満、例えば、０．７５mm未満の足部を含んでいる。
【００４９】
本発明のソックスは、伸縮性くるぶし部を、適切に含んでいる。例えば、くるぶし部は、例えば、LycraTMのような、１以上の伸縮性紡ぎ糸を包含している材料でできている。このことは、ソックスを履いたり脱いだりし易くするものであり、また、くるぶしを屈曲できるようにするものである。
【００５０】
好ましくは、ソックスは、くるぶし部周りにパッドが当てられている。例えば、くるぶし部は、使用時、ソックスの内面にある側に、テリーループを有している。上記ループは、使用時、くるぶし周りの円形パターンに、適切に設けられている。上記パッドの使用は、くるぶし周りの敏感な範囲に支持を与えるものである。くるぶし部は、１mm厚以上、例えば、１．５mm以上の材料でできており、適切には、くるぶし部は、１mm厚〜５mm厚の材料でできている。
【００５１】
実施例においては、ソックスは、それ自身に、脚／足のサイズ幅の表示を含んでおり、例えば、ソックスは、脚／足のサイズ幅を表示するラベルを包含している。選択的に、又は、付加的に、ソックスは、脚／足のサイズ幅を示すパッケージに入れた状態で販売されてもよい。ソックスは、それ自身の上に重ねて、又は、包帯、圧迫ストッキング、圧迫スリーブ、又はエアーブラッダーのような、加圧する手段と共に、着用することができる。
【００５２】
ソックスは、左足のソックスである１つのソックスと、右足のソックスである１つのソックスと、で取り扱われるものである。
【００５３】
本発明は、更に、包帯、圧迫ストッキング、圧迫スリーブ、エアーブラッダーのような、１以上の加圧する手段と共に、上述した２以上の観点を１以上組み合わせたものを備えている、１以上のソックスを含む用具を提供するものである。
【００５４】
この観点の実施例において、ソックスは、通気チャンネルを含んでおり、加圧する手段は、蒸発チャンネルを含んでいる。蒸発チャンネルは、使用時、ソックス内で通気チャンネルと連絡を取ることによって、水蒸気が、通気チャンネルに沿って、拡散し、その後、蒸発チャンネルから大気中に放出できるようにするものである。
【００５５】
本発明の実施例は、添付図面を参照しつつ、一例として、これよりより詳しく記載される。
【発明を実施するための最良の形態】
【００５６】
図１に示すソックス１は、下腿潰瘍患者の足と、ふくらはぎと、に合うように形作られており、且つ、足部２と、脚部４に至るくるぶし部３と、を含んでいる。カフ部５は、脚部４の頂部であって、ソックス１の口６の周りに設けられている。
【００５７】
ソックス１は、脚部４を備えているハイソックスである。脚部４は、使用時、患者の足から、患者の全ふくらはぎを覆うように、上方に伸び、且つ、患者のひざ、または、その付近にあるカフ部５で終端している。
【００５８】
くるぶし部３は、ウィッキング繊維CoolmaxTMと、抗菌効果のある銀繊維と、伸縮性繊維LycraTMと、綿及び／又は毛と、を組み合わせたものから編まれている。このソックスの一部は、最大７０mmHgまでの圧力を印加する。
【００５９】
足部２と脚部４とは、ウィッキング繊維CoolmaxTMと、抗菌効果のある銀繊維と、綿及び／又は毛と、を組み合わせたものによって、オープンステッチによって編まれている。これらのソックスの一部は、５mmHg未満の最小圧力を印加する。
【００６０】
くるぶし部３は、使用時にソックスの内面になる側において、使用時、皮膚に近い側で、くるぶしを覆うことになる範囲での、特に大きなテリーループの使用によって、パッド７を包含している。くるぶし付近のパッド７は、約１．５mmの厚みである。
【００６１】
脚部４は、使用時にソックスの内面になる側において、使用時、皮膚に近い側で、向こうずねを覆うことになる範囲での、特に大きなテリーループの使用によって、パッド８を包含している。向こうずね付近のパッド８は、約４mmの厚みである。
【００６２】
足部２は、閉ざされたつま先９を有しており、且つ、使用時、ソックス１の外面にある側に、縫い目を有している。足部２は、約０．７５mmの厚みの、薄い断面を有している。
【００６３】
ソックス１は、足部２と脚部４との双方に設けられた、リブ構造の通気チャンネル１０を含んでいる。通気チャンネル１０は、くるぶし部３から伸びており、そして、水蒸気が、これらのチャンネル１０に沿う拡散によって、側面沿いに運ばれる。
【００６４】
カフ部分５は、伸縮性のあるものであり、約１．５mmの厚みのものである。カフ部５は、二重カフ部となっており、合成ゴム片を含んでいる。カフ部５の縫い目は、使用時、ソックス１の外面にある側に、位置している。
【００６５】
ソックス１は、その内面にラベル（図示せず）を包含している。該ラベルは、所望の圧力を生じさせるため、ソックスを履くべき、脚のサイズが記されている。
【００６６】
ソックス１は、傷口の上の布を覆って、下腿潰瘍患者の足や脚に適切に着用することができる。ソックス１は、湿気を、皮膚から大気中に分散させることができる。更に、例えば、包帯、又は、圧迫スリーブのような加圧手段が用いられた時、ソックス１内のパッド７、８は、くるぶしと向こうずねの骨の有る部分に高い圧力が印加されることを防ぐ。
【００６７】
図２は、左側ソックス１０１ａと、右側ソックス１０１ｂと、を含む１対のソックス１００を示している。ソックス１０１ａ、１０１ｂの各々は、図１に示し、且つ、上述したソックス１のようなものである。図２において、図１の参照番号に１００を加算した参照番号は、同様の部分を示している。例えば、図１に示し、且つ、上述したくるぶし部３に対応して、図２において、参照番号１０３は、くるぶし部を示している。
【００６８】
図３は、ソックス２０１と、圧迫スリーブ２２０と、を含む用具２００を示している。ソックス２０１は、図１に示し、且つ、上述したソックス１のようなものである。図３において、図１の参照番号に２００を加算した参照番号は、同様の部分を示している。例えば、図１に示し、且つ、上述したくるぶし部３に対応して、図３において、参照番号２０３は、くるぶし部を示している。
【００６９】
圧迫スリーブ２２０は、下腿潰瘍患者の足とふくらはぎに合うように形作られており、且つ、足部２２１と、脚部２２３と、を含んでいる。
【００７０】
圧迫スリーブ２２０は、ひざまでの高さのものであり、使用時に、患者の足から患者の全ふくらはぎを覆うように上方に伸びており、且つ、患者のひざ、又は、その付近で、ソックス２０１の高さ、又は、僅かに高い位置にある口２２４で終端している、脚部２２３を備えている。
【００７１】
圧迫スリーブ２２０は、下腿潰瘍患者に圧力を印加するのに用いられる、拡張、収縮可能な、ブラッダー（図示せず）を備えている。
【００７２】
圧迫スリーブ２２０の足部２２１は、開口したつま先２２５を有している。
【００７３】
圧迫スリーブ２２０は、使用時、ソックス２０１の通気チャンネル２１０に対応する、蒸発チャンネル（図示せず）を含んでいる。従って、水蒸気は、通気チャンネル２１０に沿って、拡散することができ、その後、蒸発チャンネルから大気中に放出される。
【００７４】
ソックス２０１は、ソックス２０１を覆って着用される圧迫スリーブ２２０と共に、傷口上に位置する任意の布を覆い、下腿潰瘍患者の足と、ふくらはぎとに、適切に着用することができる。ソックス２０１は、湿気を、皮膚から大気中に分散させることができる。更に、加圧手段が用いられた時、ソックス２０１内のパッドは、くるぶしと向こうずねの骨の有る部分に高い圧力が印加されることを防ぐ。圧迫スリーブは、患者の足と、ふくらはぎと、に所望の圧力を印加する。ソックス２０１は、好ましくは、四肢に何の圧力も印加しないものであって、綿と、ウィッキング繊維と、のような織物繊維の混合物から均一に編まれたものである。この手法において、湿気は、圧迫スリーブの下側の皮膚表面の全体から逃げることができると共に、圧迫スリーブで覆われていないこれらの範囲から蒸発できる。
【００７５】
本発明の実施例は、これより、以下の実例を用いて、更に、記載される。
【００７６】
実例１
種々の紡ぎ糸の混紡からできているソックスに対し、最も水分を通す特性を備えている、これらの混紡を定めるため、４０回を超える洗濯試験が行われた。
【００７７】
紡ぎ糸の混紡のサンプルＮｏ.（ナンバー・カウントシステム）
１        １／４０綿×１／５０Coolmax/抗菌性を有しているCoolmax 
２        １／４０綿×１／５０ポリプロピレン
【００７８】
ソックスは、側方にウィッキング試験が行われた。該試験は、ソックスの長手方向に渡る後方のふくらはぎのセクションにおいて実行された。ウィッキング試験の結果は、ソックスの長手方向に沿う湿気の側方移動を反映するものである。
【００７９】
試験は、以下のように実行された。
試験サンプルをはさみで１５mm×１００mmの寸法に切る。各サンプルの底１５mmの縁から１０mm離れた位置に、該縁に平行なラインを記す。各２つのスタンドと、クランプと、を用意し、そして、単一の金属ロッドを、各スタンド上のクランプに取り付ける。ロッドが、確実に水平となるように置く。３つの強力なクリップを、各クリップが、略１０mm離れるように、金属ロッドに取り付ける。ラブジャック(labjack)を、両側のクランプを備えている金属ロッドの下側に置く。１０mlのエオシン染料を、３つの隣接する培養液のトレイの室に入れる。トレイをラブジャック上に置く。サンプルの印を付けてない１５mmの縁を強力なクリップでつまみ、サンプルが、垂直方向、水平方向にまっすぐになり、且つ、エオシン染料をふくんでいる室の真上にくるようにする。ラブジャックの高さを、染料のレベルが印を付けた位置（サンプルの端が、１０mmのラインにまで沈められる位置）に達するまで増加する。直ちに、ストップウオッチを始動させる。６０秒後、ラブジャックを下げ、試験サンプルを注意して取り出し、印を付けたラインから最も遠くにまで水分を運んだ距離(mm)を測定する。
【００８０】
【表１】
2007530817.tif 000003
【図面の簡単な説明】
【００８１】
【図１】本発明のソックスの図である。
【図２】本発明のソックスの一部の図である。
【図３】本発明のソックスを包含している用具の図である。
【図１】
2007530817.tif 000004
【図２】
2007530817.tif 000005
【図３】
2007530817.tif 000006
【国際調査報告】
2007530817.tif 000007
2007530817.tif 000008
2007530817.tif 000009
2007530817.tif 000010
2007530817.tif 000011
2007530817.tif 000012